(57)【要約】【課題】  通気式指縫片を具えた野球のグローブの提供。【解決手段】  野球のグローブの人指し指、中指、薬指及び小指の指縫片のスリットに通気弾性材料を加え、手指空間を増し、人体工学に符合させ、並びに通気弾性材料により放熱を補助し、指部分を折り曲げやすくする。以上の構造と通気弾性材料で指縫片を形成し、人指し指、中指、薬指及び小指間のスリットに取り付けることで、皮革で形成した指縫片と外皮の手甲部と外皮の掌部分の厚さにより、指部分が折り曲げにくくなる欠点を防止し、運動時の手部の熱気と汗の発散を加速する。【選択図】        図２
0003101769.tif 000002
【実用新案登録請求の範囲】
【請求項１】
外皮手甲部、外皮掌部、内張り、指縫片、附属皮部品及び皮ひもが組み合わされてなり、外皮手甲部の底面と外皮掌部の上面が突き合わされて周縁が縫合されると共に一つの開口が保留され、さらに内張りの外表面に接着剤が塗布された後にグローブ内に挿入されて接合され、附属皮部品の球当てと調整帯がグローブに取り付けられ、皮ひもが各ひも孔に通されて修飾と補強に供される通気式指縫片を具えた野球のグローブにおいて、
通気弾性材料で指縫片が形成され、該指縫片が外皮手甲部と外皮掌部の人指し指、中指、薬指及び小指間の指縫片スリットに縫い付けられたことを特徴とする、通気式指縫片を具えた野球のグローブ。
【請求項２】
請求項１記載の通気式指縫片を具えた野球のグローブにおいて、指縫片に使用される通気弾性材料がネオプレンとされたことを特徴とする、通気式指縫片を具えた野球のグローブ。
【請求項３】
請求項１記載の通気式指縫片を具えた野球のグローブにおいて、内張りの内張りスポンジと内張り皮革に複数の通気孔が開設されたことを特徴とする、通気式指縫片を具えた野球のグローブ。
【考案の詳細な説明】
【技術分野】
【０００１】
本考案は通気式指縫片を具えた野球のグローブに係り、特に野球のグローブにあって、人指し指、中指、薬指及び小指の指縫片のスリットに通気弾性材料を増設し、放熱を補助すると共に指を折り曲げやすくしたグローブに関する。
【背景技術】
【０００２】
図１に示されるように、周知の野球のグローブは外皮手甲部ａと外皮掌部ｂ、内張り及び皮ひもで組成され、そのうち、外皮手甲部ａ、外皮掌部ｂの皮革は先に５本の指の形状に裁断され、内張りは内張り皮革とスポンジ或いは軟性材料の軟性内張りで組成されている。まず、外皮手甲部ａと外皮掌部ｂが突き合わせられて縫合されてグローブが形成され、続いて内張りの外表面に一層の接着剤が塗布された後にグローブ内に挿入され、並びに手部を挿入するための開口が保留され、さらに皮ひもで附属の皮部品がグローブに固定され、修飾及び補強されて、グローブが強固とされる。しかし、外皮手甲部ａと外皮掌部ｂの皮革を縫合する時、中間を皮革の指縫片ｃで補強して三層皮の構造を形成するが、この構造はグローブを更に強固とするが、却って指部分が硬くなり曲げにくくなる欠点を生じ、グローブの指を折り曲げにくいと、球を受ける時の問題が生じる。また、縫合部分に通気性がなく、手の熱や汗がグローブにこもり、使用者に不快感をもたらした。
【考案の開示】
【考案が解決しようとする課題】
【０００３】
本考案の主要な目的は、指の活動に便利で、グローブを折り曲げやすい通気式指縫片を具えた野球のグローブを提供することにある。
【０００４】
本考案の次の目的は、通気性を具え、急速に放熱が行なえる通気式指縫片を具えた野球のグローブを提供することにある。
【課題を解決するための手段】
【０００５】
請求項１の考案は、外皮手甲部、外皮掌部、内張り、指縫片、附属皮部品及び皮ひもが組み合わされてなり、外皮手甲部の底面と外皮掌部の上面が突き合わされて周縁が縫合されると共に一つの開口が保留され、さらに内張りの外表面に接着剤が塗布された後にグローブ内に挿入されて接合され、附属皮部品の球当てと調整帯がグローブに取り付けられ、皮ひもが各ひも孔に通されて修飾と補強に供される通気式指縫片を具えた野球のグローブにおいて、
通気弾性材料で指縫片が形成され、該指縫片が外皮手甲部と外皮掌部の人指し指、中指、薬指及び小指間の指縫片スリットに縫い付けられたことを特徴とする、通気式指縫片を具えた野球のグローブとしている。
請求項２の考案は、請求項１記載の通気式指縫片を具えた野球のグローブにおいて、指縫片に使用される通気弾性材料がネオプレンとされたことを特徴とする、通気式指縫片を具えた野球のグローブとしている。
請求項３の考案は、請求項１記載の通気式指縫片を具えた野球のグローブにおいて、内張りの内張りスポンジと内張り皮革に複数の通気孔が開設されたことを特徴とする、通気式指縫片を具えた野球のグローブとしている。
【考案の効果】
【０００６】
本考案の通気式指縫片を具えた野球のグローブは、野球のグローブの人指し指、中指、薬指及び小指の指縫片のスリットに通気弾性材料を加え、手指空間を増し、人体工学に符合させ、並びに通気弾性材料により放熱を補助し、指部分を折り曲げやすくする。以上の構造と通気弾性材料で指縫片を形成し、人指し指、中指、薬指及び小指の間のスリットに取り付けることで、皮革で形成した指縫片と外皮の手甲部と外皮の掌部分の厚さにより、指部分が折り曲げにくくなる欠点を防止し、運動時の手部の熱気と汗の発散を加速する。
【考案を実施するための最良の形態】
【０００７】
本考案の通気式指縫片を具えた野球のグローブは、外皮手甲部、外皮掌部、内張り、指縫片、附属皮部品及び皮ひもが組み合わされてなり、外皮手甲部の人指し指、中指、薬指及び小指の間の指縫片のスリットに、弾性と通気性を具えた指縫片が縫合された後、さらに外皮手甲部の底面と外皮掌部の上面が突き合わされて周囲が縫合され、並びに一つの開口が保留され、さらに内張りの外表面に接着剤が塗布された後にグローブ内に接合され、附属皮部品の球当てと調整帯がグローブの適当な位置に取り付けられ、皮ひもがひも孔に通されて修飾と補強が行なわれる。
【０００８】
以上の構造により、人指し指、中指、薬指及び小指の間の指縫片スリットにあって、通気弾性材料で形成された指縫片が縫合されることにより、手指部分の弾性が増し、手指の活動が活発となり、且つグローブを折り曲げやすくなり、球を受ける時にグローブを開閉しやすく、且つ通気弾性材料が通気性を増してグローブの掌部に発生する熱を急速に放出し、快適性を増す。
【実施例１】
【０００９】
図２、３に示されるように、本考案の通気式指縫片を具えた野球のグローブは、外皮手甲部１０、外皮掌部２０、内張り３０、指縫片４０、附属皮部品５０及び皮ひも６０が組み合わされてなる。
【００１０】
外皮手甲部１０は手部の形状に裁断され、並びに５本の指の前端及び周囲に複数のひも孔１１が開設されている。
【００１１】
外皮掌部２０は手部の形状に裁断され、並びに５本の指の前端及び周囲に複数のひも孔２１が開設されている。
【００１２】
内張り３０は、軟質内張り３１ａと掌形状の内張り皮革３１ｂが縫合されてなる内張り掌部３１を具え、該軟質内張り３１ａはスポンジ或いは軟性材料で形成され、且つ５本の指の上方に軟質内張り３１ａで形成された内張り手指部３２が縫い付けられ、該内張り３０は掌部分の厚さを増して球を受け取る時の手部の傷害を防止するのに供され、並びに複数のひも孔３３が開設されて皮ひも６０が通されて修飾或いは補強に供される。
【００１３】
指縫片４０は、ネオプレン（Ｎｅｏｐｒｅｎｅ）材料を使用可能で、適当な大きさに裁断され、並びに外皮手甲部１０の人指し指、中指、薬指及び小指間の指縫片スリットに縫い付けられる。
【００１４】
附属皮部品５０は親指と人指し指間の球を受けるための球当て５１、及び手部をグローブに挿入した後に手首の締め具合を調整するための調整帯５２を具えている。
【００１５】
皮ひも６０は、皮革を裁断して帯状としてなり、グローブ側縁のひも孔１１、２１、３３に通されて装飾、補強に供される。
【００１６】
組立時には、外皮手甲部１０の底面と外皮掌部２０の上面を突き合わせる方式で、周縁が縫合され、並びに一つの開口が保留される。さらに内張り３０の外表面に接着剤が塗布された後にグローブ内に挿入されて接合され、附属皮部品５０の球当て５１と調整帯５２がグローブの適当な位置に取り付けられて、皮ひも６０がひも孔１１、２１、３３に通されて修飾、補強が行なわれ、以上でグローブが完成する。
【００１７】
図４は本考案の通気弾性材料で形成された指縫片４０の取り付け表示図である。そのうち、指縫片４０の外縁は外皮手甲部１０の指縫片スリット辺縁部分に縫い付けられ、続いて指縫片４０内縁が外皮掌部２０の指縫片スリット辺縁部分に縫い付けられる。
【００１８】
図５は内張りの別の実施方式を示す。内張り掌部３１の軟質内張り３１ａと内張り皮革３１ｂに複数の通気孔３４が開設され、並びに複数のひも孔３３が開設され、同じ方式でグローブ内に取り付けられる。
【００１９】
以上の構造が組み合わされる時、以下の効果を達成する。
１．グローブの各部の組合せ部品に対応するひも孔が開設され、皮ひもによる修飾と補強に供される。
２．手部をグローブに挿入した後に調整帯によりグローブを使用者に符合させることができる。
３．内張りの皮革に複数の通気孔が設けられて通気性と保持性が増され、且つグローブの折り曲げが容易とされる。
【００２０】
以上の構造により、人指し指、中指、薬指及び小指の間の指縫片スリットにあって、通気弾性材料で形成された指縫片が縫合されることにより、通気性と快適性が増され、且つグローブの折り曲げが容易となる。本考案はゆえに実用性と進歩性を具え、実用新案登録の要件を具備している。
【図面の簡単な説明】
【００２１】
【図１】周知のグローブの立体局部断面図である。
【図２】本考案の分解斜視図である。
【図３】本考案の斜視図である。
【図４】本考案の通気弾性材料で形成された指縫片の取り付け表示図である。
【図５】本考案の内張りの別の実施例の斜視図である。
【符号の説明】
【００２２】
１０  外皮手甲部              ２０  外皮掌部
３０  内張り                  ４０  指縫片
５０  附属皮部品              ６０  皮ひも
１１、２１、３３  ひも孔      ３１  内張り掌部
３１ａ、３２ａ  軟質内張り    ３１ｂ  内張り皮革
３２  内張り手指部            ３４  通気孔
５１  球当て                  ５２  調整帯
【図１】
0003101769.tif 000003
【図２】
0003101769.tif 000004
【図３】
0003101769.tif 000005
【図４】
0003101769.tif 000006
【図５】
0003101769.tif 000007